(57)【要約】      （修正有）【課題】装飾体と装飾フレームとを一体的に組み合わせ、チェーン類を簡単に装着でき、しかも装飾体を装飾フレームによって直接肌に触れないよう、一定の間隔を保持した状態で使用することができるペンダントを提供する。【解決手段】容器状本体と、容器状本体の上部外周にヒンジで開閉可能に取付けられ、当該ヒンジ部分の上部にチェーン類を挿通するための管状部分を形成された、容器状本体の開口部分に装着可能とした装飾フレームと、当該装飾フレームの上記管状部分に吊り環をはめ込んで上記容器状本体の開口部分に吊下げられる装飾体とを有し、上記装飾フレームの管状部分のチェーン類挿通部と装飾体の吊り環のチェーン類挿通部とが連通するよう、装飾体の吊り環を装飾フレームの上記管状部分に首振り自在に取付けたことを特徴とする。【選択図】図５
0003125675.tif 000002
【実用新案登録請求の範囲】
【請求項１】
容器状本体と、容器状本体の上部外周にヒンジで開閉可能に取付けられ、当該ヒンジ部分の上部にチェーン類を挿通するための管状部分を形成された、容器状本体の開口部分に装着可能とした装飾フレームと、当該装飾フレームの上記管状部分に吊り環をはめ込んで上記容器状本体の開口部分に吊下げられる装飾体とを有し、上記装飾フレームの管状部分のチェーン類挿通部と装飾体の吊り環のチェーン類挿通部とが連通するよう、装飾体の吊り環を装飾フレームの上記管状部分に首振り自在に取付けたことを特徴とするペンダント。
【請求項２】
容器状本体は、弧状断面に形成され、その開口部分に吊り下げられる装飾体を、身体から一定の間隔をもって保持できるようにしたことを特徴とする請求項１に記載のペンダント。
【請求項３】
装飾フレームは、ヒンジ部分の上部において円弧状に形成し、他方、容器状本体の上端に円弧状凹部を形成し、装飾フレームを閉じて容器状本体の開口部分に装着したとき、装飾フレームのヒンジ部分の上部にチェーン類を挿通するための管状部分が形成されるようにしたことを特徴とする請求項１または２に記載のペンダント。
【請求項４】
装飾フレームの容器状本体の開口部分への装着手段は、装飾フレームの端縁と容器状本体の開口部分の対応個所とに形成した弾性ロック機構であることを特徴とする請求項１ないし３のいずれかに記載のペンダント。
【請求項５】
装飾フレームの前面には、複数の宝石が取付けられていることを特徴とする請求項１ないし４のいずれかに記載のペンダント。
【請求項６】
装飾体は、吊り環の下端に連結された石座と、該石座に適宜の保持手段で固定した宝石とで構成されていることを特徴とする請求項１ないし５のいずれかに記載のペンダント。
【考案の詳細な説明】
【技術分野】
【０００１】
この考案は、ペンダント、特に、使用方法により、各種のバリエーションを有するものとすることのできるペンダントに関する。
【背景技術】
【０００２】
従来より、ペンダントの形状を各種に変形することができるようになったものとして、複数の装飾体を用意し、これらを適宜選択して吊り環によってチェーン類に取り付けるようにしたものが知られている。
この従来のペンダントでは、単に装飾体を取替えるだけで、変化に乏しい。そこで、特開平７−２２７３０７号公報（特許文献１参照）に記載の考案のように、チェーン類の挿通孔を両端に形成したＵ字状の主飾り部と、Ｕ字状の中間においてチェーン類に吊下げたり、主飾り部に吊下げることができる挿通孔を設けた副飾り部とを有するペンダントが提案されている。
【特許文献１】特開平７−２２７３０７号公報
【考案の開示】
【考案が解決しようとする課題】
【０００３】
この考案は、装飾体と装飾フレームとを一体的に組み合わせるとともに、装飾体および装飾フレームにチェーン類を簡単に装着することができ、しかも装飾体を装飾フレームによって直接肌に触れないよう、一定の間隔を保持した状態で使用することができるようにしたペンダントを実現することを目的として案出されたものである。
【課題を解決するための手段】
【０００４】
この考案のペンダントは、容器状本体と、容器状本体の上部外周にヒンジで開閉可能に取付けられ、当該ヒンジ部分の上部にチェーン類を挿通するための管状部分を形成された、容器状本体の開口部分に装着可能とした装飾フレームと、当該装飾フレームの上記管状部分に吊り環をはめ込んで上記容器状本体の開口部分に吊下げられる装飾体とを有し、上記装飾フレームの管状部分のチェーン類挿通部と装飾体の吊り環のチェーン類挿通部とが連通するよう、装飾体の吊り環を装飾フレームの上記管状部分に首振り自在に取付けたことを特徴とするものである。
【０００５】
この考案のペンダントにおいて、容器状本体は、弧状断面に形成され、その開口部分に吊り下げられる装飾体を、身体から一定の間隔をもって保持できるようにしたことをも特徴とするものである。
【０００６】
この考案のペンダントにおいて、装飾フレームは、ヒンジ部分の上部において円弧状に形成し、他方、容器状本体の上端に円弧状凹部を形成し、装飾フレームを閉じて容器状本体の開口部分に装着したとき、装飾フレームのヒンジ部分の上部にチェーン類を挿通するための管状部分が形成されるようにしたことをも特徴とするものである。
【０００７】
この考案のペンダントにおいて、装飾フレームの容器状本体の開口部分への装着手段は、装飾フレームの端縁と容器状本体の開口部分の対応個所とに形成した弾性ロック機構であることをも特徴とするものである。
【０００８】
この考案のペンダントにおいて、装飾フレームの前面には、複数の宝石が取付けられていることをも特徴とするものである。
【０００９】
この考案のペンダントにおいて、装飾体は、吊り環の下端に連結された石座と、該石座に適宜の保持手段で固定した宝石とで構成されていることをも特徴とするものである。
【考案の効果】
【００１０】
この考案のペンダントは、上述のように、装飾体のみを用いる態様のほか、装飾フレームの開口部分内に装飾体を吊り下げて装飾体と装飾フレームとを一体とした態様としても使用することができ、多様で変化のある形状を得ることができる。特に、装飾体を装飾フレームの開口部分内に吊り下げる態様とすると、装飾体と装飾フレームとが一体感のあるものとなり、豪華な印象を与えることができる。
【００１１】
しかも装飾体を装飾フレームの開口部分内に吊下げる態様とした場合、装飾体が直接肌に触れないで、一定の間隔を保持した状態で使用することができ、常に装飾体が身体の正面を向いた状態で保持することができる。
【００１２】
さらに、装飾フレームにチェーン類を吊下げるための管状部分を形成することにより、装飾フレームにデザイン上の違和感なくチェーン類の挿通機能を持たせることができ、まとまったデザインのペンダントが容易に得られる。
【考案を実施するための最良の形態】
【００１３】
以下、この考案のペンダントの実施形態について図面に基づいて詳細に説明する。
図１はこの考案のペンダントの１実施例を示す正面図、図２はその側面図、図３はその平面図、図４はその底面図、図５は使用状態を示す斜視図、そして図６は装飾フレームを開いた状態の斜視図である。
【００１４】
図１ないし図４に示すこの考案のペンダント１０において、チェーン類１１は、貴金属製のチェーンよりなり、首の周囲に装着される。このチェーン類１１は両端をクラスプと称する接続金具によって接続され、また分離することができる。
【００１５】
このペンダント１０は、上記チェーン類１１と、容器状本体１２と、容器状本体１２の上部外周にヒンジ１３で開閉可能に取付けられ、容器状本体１２の開口部分１４に装着可能とした装飾フレーム１５と、容器状本体１２の開口部分１４に吊下げられる装飾体１６とで構成されている。
上記容器状本体１２は、貴金属で弧状断面に形成され、その開口部分１４の中ほどに吊り下げられる装飾体１６を、身体から一定の間隔をもって保持できるようになっている。
【００１６】
また、この実施例のペンダント１０において、装飾フレーム１５は上記ヒンジ１３部分の上部にチェーン類１１を挿通するための管状部分１７を形成され、容器状本体１２の開口部分１４に装着可能となっている。
より詳しくは、装飾フレーム１５はヒンジ１３部分の上部において円弧状に形成してあり、他方、容器状本体１２の上端にも円弧状凹部１８を形成してある。そして、装飾フレーム１５を閉じて容器状本体１２の開口部分１４に装着したとき、装飾フレーム１５のヒンジ１３部分の上部にチェーン類１１を挿通するための管状部分１７が、ヒンジ１３部分の上部の円弧状部分と、容器状本体１２の上端の円弧状凹部１８とで形成されるようになっている。
【００１７】
上記装飾フレーム１５の容器状本体１２の開口部分１４への装着手段は、装飾フレーム１５の端縁と容器状本体１２の開口部分１４の対応個所とに形成した弾性ロック機構である。すなわち、装飾フレーム１５の端縁に形成したフック２１と、容器状本体１２の開口部分１４の対応個所に形成した係合孔２２とで着脱自在に装着できるようになっている。もちろん、ヒンジ１３部分に装飾フレーム１５を閉じる方向に付勢するバネを取り付けたり、ヒンジ１３部分のかしめの程度を調整して装飾フレーム１５を閉じた際に簡単には開かないようにしたりすることによって置き換えることもできる。
【００１８】
上記装飾フレーム１５の前面には、複数の宝石２３が取付けられている。この宝石２３は装飾フレーム１５の前面に形成した複数の爪２４によって固着されるが、彫止めや伏込み、レール等の手段によって固着しても良いことはいうまでもない。図では複数の宝石２３を下部に向けて大きくなるよう異なるサイズを組み合わせたものとしているが、同一サイズの宝石２３を使用したり、異なる種類の宝石２３を組み合わせることもできる。
【００１９】
装飾体１６は、吊り環３１の下端に連結された石座３２と、該石座３２に適宜の保持手段で固定した宝石３３とで構成されている。そして装飾体１６は、装飾フレーム１５の上記管状部分１７に上記吊り環３１をはめ込んで、上記容器状本体１２の開口部分１４に吊下げられる。
もちろん、上記装飾フレーム１５の管状部分１７のチェーン類挿通部と装飾体１６の吊り環３１のチェーン類挿通部とが連通することが必要であり、そうすることによって装飾体１６を装飾フレーム１５の上記管状部分１７に吊り環３１を介して首振り自在に取付けることができる。
【００２０】
図５および図６にこの考案のペンダント１０の使用状態を示す。
図５および図６において、このペンダント１０は上記装飾フレーム１５と装飾体１６とを、上記装飾フレーム１５の開口部分１４内に装飾体１６が位置するようチェーン類１１から吊り下げて使用する。
【００２１】
このように組み付けるに際しては、図６のように装飾フレーム１５のフック２１を、容器状本体１２の係合孔２２から外し、ヒンジ１３を介して装飾フレーム１５を開く。そして、予めチェーン類１１を装飾体１６の吊り環３１に挿通した状態で、装飾チェーン１５の管状部分１７にはめ込む。その場合、装飾体１６の吊り環３１は、上記管状部分１７の中ほどに形成した間隙１９にはめ込むようになっている。
【００２２】
その上で装飾フレーム１５を閉じてフック２１を容器状本体１２の係合孔２２にはめ込むことにより、装飾フレーム１５と装飾体１６とは一体化され、しかも装飾体１６は装飾フレーム１５内で前後に首振り可能に支持される。
図６において２０は装飾フレーム１５のガイド部で、容器状本体１２の開口部分１４の内周側を立ち上げて形成され、これに対応して形成された装飾フレーム１５背面の段差（図示せず）がガイド部２０にはまり合うようになっていて、容器状本体１２に装飾フレーム１５がずれなく装着できるようにしてある。
【００２３】
このペンダント１０は、以上の構成であるから、次のようにして使用される。
すなわち、このペンダント１０は４種類の使用方法ができ、第１の使用態様は、図５に示すように、上記装飾フレーム１５と装飾体１６とを、上記装飾フレーム１５の開口部分１４内に装飾体１６が位置するようチェーン類１１から吊り下げるものである。この使用例では、装飾体１６が装飾フレーム１５の内側に囲まれるようになり、一体感のあるデザインとなる。
【００２４】
第２の使用態様は、装飾フレーム１５を取り外し、装飾体１６のみを用いるものである。
第３の使用態様は、装飾フレーム１５と装飾体１６とをそれぞれ異なるタイプのものとして組合せを変えて使用するものである。
【産業上の利用可能性】
【００２５】
この考案のペンダントは、上述のように、装飾体１６、装飾フレーム１５をともにチェーン類１１に吊り下げる態様、一方のみを用いる態様のほか、装飾体１６、装飾フレーム１５それぞれを異なるデザインのものとして組み合わせた態様としても使用することができ、多様で変化のある形状を得ることができる。
【００２６】
上記においては、この考案をペンダントに適用する場合について説明したが、ブローチやイヤリング等として使用することもできる。
【図面の簡単な説明】
【００２７】
【図１】この考案のペンダントの１実施例を示す正面図である。
【図２】その側面図である。
【図３】その平面図である。
【図４】その底面図である。
【図５】使用状態を示す斜視図である。
【図６】装飾フレームを開いた状態の斜視図である。
【符号の説明】
【００２８】
１０  ペンダント
１１  チェーン類
１２  容器状本体
１３  ヒンジ
１４  開口部分
１５  装飾フレーム
１６  装飾体
１７  管状部分
１８  円弧状凹部
１９  間隙
２０  ガイド部
２１  フック
２２  係合孔
２３  宝石
２４  爪
３１  吊り環
３２  石座
３３  宝石
【図１】
0003125675.tif 000003
【図２】
0003125675.tif 000004
【図３】
0003125675.tif 000005
【図４】
0003125675.tif 000006
【図５】
0003125675.tif 000007
【図６】
0003125675.tif 000008